(57)【要約】      （修正有）【課題】呼出があったことが容易に分かるリモコン装置を提供する。【解決手段】第１表示部１０と第１呼出スイッチ１４と第１報知手段１２と第１記憶部９を備えた第１制御部１７を有し給湯装置１を操作する第１リコモン２と、第２表示部２１と第２呼出スイッチ２５と第２報知手段２３と第２記憶部２０を備えた第２制御部２８を有し同じ給湯装置１を操作する第２リモコン３とを備えたもので、前記一方のリモコン２、３に設けられた呼出スイッチ１４、２５を押圧することによって、他方のリモコン２、３に一方のリモコン２、３から呼出がされていることを報知すると共に記憶部９、２０に記憶し、この報知後に、制御部１７、２８がこのリモコン２、３の表示部１０、２１に呼出があった時間と共に呼出があったことを文字で呼出履歴表示する。【選択図】図１
2015154313.tif 000002
【特許請求の範囲】
【請求項１】
第１表示部と第１呼出スイッチと第１報知手段と第１記憶部を備えた第１制御部を有し給湯装置を操作する第１リコモンと、第２表示部と第２呼出スイッチと第２報知手段と第２記憶部を備えた第２制御部を有し同じ給湯装置を操作する第２リモコンとを備えたものに於いて、前記一方のリモコンに設けられた呼出スイッチを押圧することによって、他方のリモコンに一方のリモコンから呼出がされていることを報知すると共に記憶部に記憶し、この報知後に、制御部がこのリモコンの表示部に呼出があった時間と共に呼出があったことを文字で呼出履歴表示するようにしたことを特徴とするリモコン装置。
【請求項２】
前記呼出履歴表示は、表示中に再度呼出された場合は、前の呼出履歴表示を消去し、最新の呼出履歴表示するようにしたことを特徴とする請求項１記載のリモコン装置。
【請求項３】
前記呼出履歴表示は、表示しているリモコンが操作されることで、元の通常表示に戻るようにしたことを特徴とする請求項１記載のリモコン装置。
【請求項４】
前記呼出履歴表示は、所定時間の経過で自動的に、元の通常表示に戻るようにしたことを特徴とする請求項１記載のリモコン装置。
【請求項５】
前記呼出履歴表示は、風呂保温運転の終了で、元の通常表示に戻るようにしたことを特徴とする請求項１記載のリモコン装置。
【請求項６】
前記呼出履歴表示は、給湯装置の運転停止で、元の通常表示に戻るようにしたことを特徴とする請求項１記載のリモコン装置。
【発明の詳細な説明】
【技術分野】
【０００１】
この発明は、台所と浴室に設置するリモコン装置に関するものである。
【背景技術】
【０００２】
従来よりこの種のものに於いては、浴室リモコンの呼出スイッチが操作されると、台所リモコンのスピーカーからブザーを１０秒間鳴らすと共に、台所リモコンの各スイッチに付いているＬＥＤを１０秒間点滅させることで、台所リモコンの近くにいる人に浴室リモコンから呼出されていることを知らせるものであった。（例えば、特許文献１参照。）
【先行技術文献】
【特許文献】
【０００３】
【特許文献１】特開２０００−３４１７７１号公報
【発明の概要】
【発明が解決しようとする課題】
【０００４】
ところでこの従来のものでは、浴室リモコンからの呼出を台所リモコンの近くに居れば知ることが出来るが、ブザーも聞こえない程に台所リモコンから離れて居ると知ることが出来ず、又離れた所から台所リモコンの場所に戻ったとしても、すでに報知動作が終了していると呼出があったことを知る手段がなく、万一入浴中に体調を崩したような場合には、対応が遅れてしまうと言う大きな課題を有するものであった。
【課題を解決するための手段】
【０００５】
上記課題を解決するために、この発明の請求項１では、第１表示部と第１呼出スイッチと第１報知手段と第１記憶部を備えた第１制御部を有し給湯装置を操作する第１リコモンと、第２表示部と第２呼出スイッチと第２報知手段と第２記憶部を備えた第２制御部を有し同じ給湯装置を操作する第２リモコンとを備えたものに於いて、前記一方のリモコンに設けられた呼出スイッチを押圧することによって、他方のリモコンに一方のリモコンから呼出がされていることを報知すると共に記憶部に記憶し、この報知後に、制御部がこのリモコンの表示部に呼出があった時間と共に呼出があったことを文字で呼出履歴表示するようにしたものである。
【０００６】
又請求項２では、前記呼出履歴表示は、表示中に再度呼出された場合は、前の呼出履歴表示を消去し、最新の呼出履歴表示するようにしたものである。
【０００７】
又請求項３では、前記呼出履歴表示は、表示しているリモコンが操作されることで、元の通常表示に戻るようにしたものである。
【０００８】
又請求項４では、前記呼出履歴表示は、所定時間の経過で自動的に、元の通常表示に戻るようにしたものである。
【０００９】
又請求項５では、前記呼出履歴表示は、風呂保温運転の終了で、元の通常表示に戻るようにしたものである。
【００１０】
又請求項６では、前記呼出履歴表示は、給湯装置の運転停止で、元の通常表示に戻るようにしたものである。
【発明の効果】
【００１１】
この発明の請求項１によれば、一方のリモコンの呼出スイッチが押圧されると、他方のリモコンに呼出されたことを報知すると共に記憶部に記憶し、この報知後に、制御部がこの他方のリモコンの表示部に呼出があった時間と共に呼出があったことを文字で呼出履歴表示するようにしたので、報知時にリモコンから離れていても、リモコンの所に戻り表示部を見ることで、呼出があったことを知ることが出来、逆に一方のリモコンを呼出たりこのリモコンの所に見にいったりと、次の対応を取ることが可能で、使用勝手が良く安心して使用出来るものである。
【００１２】
又請求項２によれば、前記呼出履歴表示は、表示中に再度呼出された場合は、前の呼出履歴表示を消去し、最新の呼出履歴表示するようにしたので、常に最新の呼出履歴表示を見ることが出来、間違った情報を得る心配がなく、常に安心して便利に使用出来るものである。
【００１３】
又請求項３によれば、前記呼出履歴表示は、表示しているリモコンが操作されることで、元の通常表示に戻るようにしたので、リモコンが操作されると言うことは、必ず表示部は確認されているので、表示を元の通常表示に戻すようにしたものであり、使用勝手が良いものである。
【００１４】
又請求項４によれば、前記呼出履歴表示は、所定時間の経過で自動的に、元の通常表示に戻るようにしたので、表示切替等の操作をすることなく、所定時間後には元の通常表示に戻り、便利であり使用勝手が良いものである。
【００１５】
又請求項５によれば、前記呼出履歴表示は、風呂保温運転の終了で、元の通常表示に戻るようにしたので、呼出スイッチが押圧された一方のリモコンが浴室リモコンでは、風呂保温運転の終了ではほとんどの場合入浴者はいなくなるので、無駄な呼出履歴表示をなくすことが出来、経済的で使用勝手が良いものである。
【００１６】
又請求項６によれば、前記呼出履歴表示は、給湯装置の運転停止で、元の通常表示に戻るようにしたので、元々の給湯装置の運転が停止すれば、呼出履歴表示の必要性がなくなるので、無駄な呼出履歴表示をなくすことが出来、経済的で使用勝手が良いものである。
【図面の簡単な説明】
【００１７】
【図１】この発明の一実施形態のリモコン装置を適用した給湯システムを示すブロック図。
【図２】同表示部の呼出報知状態を示す図。
【図３】同表示部の呼出報知状態から呼出履歴表示状態を示す図。
【図４】同表示部の呼出履歴表示から通常表示に戻る状態を示す図。
【図５】他の呼出履歴表示状態を示す図。
【発明を実施するための形態】
【００１８】
次にこの発明に係るリモコン装置を図面に示す一実施例で説明する。
図１は本件リモコン装置を適用した給湯システムを示すブロック図で、給湯装置１と、それに接続された第１リモコンとしての台所リモコン２及び第２リモコンとしての浴室リモコン３とを有しているものである。
前記台所リモコン２は、通常、台所等の壁面に設置され、運転の開始／停止等、給湯機能全般の動作に関する指示を使用者が入力可能であるように構成されている。
又浴室リモコン３は、入浴者が浴槽に入った時の目の高さに合わせて、浴槽縁から浴室リモコン３の天面までの高さが４００ｍｍ以下となるように浴室の浴槽の長手方向の壁面に設置され、給湯温度やふろ給湯機能等の設定に関する指示を使用者が入力可能であるように構成されている。
【００１９】
前記給湯装置１は、電源部４と、台所リモコン２及び浴室リモコン３との通信信号の変換を行う通信回路５と、通信信号の解析や送受信、給湯機能の制御を行う制御部６とを備えている。
更に給湯装置１は、湯を沸かすための加熱手段（図示せず）、湯を蓄える貯湯タンク（図示せず）、各部の湯水の流れを制御するための弁類（図示せず）、浴槽の水位を検知する水位センサ等各種センサ類（図示せず）などを備えている。
【００２０】
前記台所リモコン２は、第１電源部７と、給湯装置１及び浴室リモコン３との通信信号の変換を行う第１通信回路８と、各種情報や操作や制御状態等を記憶する第１記憶部９と、該第１記憶部９に記憶された情報や各種の情報を適宜表示する第１表示部１０と、音声や報知音の音量を調整する第１音量調整部１１と、音声や報知音を鳴動させる第１報知手段１２と、給湯温度等の給湯機能の切り替え設定する第１スイッチ部１３と、浴室リモコン３を呼び出す第１呼出スイッチ１４と、第１スピーカー１５や第１マイク１６と、第１スイッチ部１３や第１通信回路８との信号を処理し、第１表示部１０や第１報知手段１２の制御を行う第１制御部１７とを備えている。
【００２１】
前記浴室リモコン３は、第２電源部１８と、給湯装置１及び台所リモコン２との通信信号の変換を行う第２通信回路１９と、各種情報や操作や制御状態等を記憶する第２記憶部２０と、該第２記憶部２０に記憶された情報や各種の情報を適宜表示する第２表示部２１と、音声や報知音の音量を調整する第２音量調整部２２と、音声や報知音を鳴動させる第２報知手段２３と、給湯温度等の給湯機能の切り替え設定する第２スイッチ部２４と、台所リモコン２を呼び出す第２呼出スイッチ２５と、第２スピーカー２６や第２マイク２７と、第２スイッチ部２４や第２通信回路１９との信号を処理し、第２表示部２１や第２報知手段２３の制御を行う第２制御部２８とを備えている。
【００２２】
前記浴室リモコン３の第２呼出スイッチ２５が押圧されると、台所リモコン２の第１報知手段１２が複数回ブザー音及び「おふろで呼んでいます」を発しすると共に、給湯温度を表示した通常表示であつた第１表示部１０に「おふろで呼んでいます」を表示した後、第１記憶部９がこの呼出があったこととその時間を記憶し、そして台所リモコン２の第１呼出スイッチ１４の押圧による応答がなければ、第１制御部１７が第１表示部１０に第１記憶部９が記憶した時間と呼出があったことを「おふろで呼んでました  ＰＭ１２：００」と呼出履歴表示するものである。
【００２３】
又上記の呼出報知状態で台所リモコン２の第１呼出スイッチ１４が押圧されて応答があれば、そまま第１マイク１６で拾った声を第２スピーカー２６から発し、更に浴室リモコン３の第２マイク２７で拾った声を第１スピーカー１５から発しての会話が行えるようにしたものである。
【００２４】
一方通常状態で逆に台所リモコン２の第１呼出スイッチ１４が押圧されると、浴室リモコン３の第２報知手段２３が複数回ブザー音及び「台所で呼んでいます」を発しすると共に、給湯温度を表示した通常表示であつた第２表示部２１に「台所で呼んでいます」を表示した後、第２記憶部２０がこの呼出があったこととその時間を記憶し、そして浴室リモコン３の第２呼出スイッチ２５の押圧による応答がなければ、第２制御部２８が第２表示部２１に第２記憶部２０が記憶した時間と呼出があったことを「台所で呼んでました  ＰＭ１２：００」と呼出履歴表示するものである。
【００２５】
又上記の呼出報知状態で浴室リモコン３の第２呼出スイッチ２５が押圧されて応答があれば、そまま第２マイク２７で拾った声を第１スピーカー１５から発し、更に台所リモコン２の第１マイク１６で拾った声を第２スピーカー２６から発しての会話が行えるようにしたものである。
【００２６】
このように呼出の報知時に呼出があったリモコンから離れていても、リモコンの所に戻り表示部を見ることで、呼出があったことを知ることが出来、逆に一方のリモコンを呼出たりこのリモコンの所に見にいったりと、次の対応を取ることが可能で、使用勝手が良く安心して使用出来るものである。
【００２７】
次に台所リモコン２の第１表示部１０で呼出履歴表示されている状態で、再び浴室リモコン３の第２呼出スイッチ２５が押圧されれば、第１記憶部９は前の呼出履歴を消去し、新たな呼出履歴を記憶すると共に、第１制御部１７が第１表示部１０にこの新たな呼出履歴を表示するもので、浴室リモコン３でも同様であり、常に最新の呼出履歴表示を見ることが出来、間違った情報を得る心配がなく、常に安心して便利に使用出来るものである。
【００２８】
又台所リモコン２の第１表示部１０で呼出履歴表示されている状態で、第１スイッチ部１３のどれかのスイッチが操作されれば、第１制御部１７が第１表示部１０を呼出履歴表示から給湯温度を表示する通常表示に戻すもので、これは浴室リモコン３でも同様であり、リモコンが操作されると言うことは、必ず表示部は確認されているので、表示を元の通常表示に戻すようにしたものであり、使用勝手が良いものである。
【００２９】
更に台所リモコン２の第１表示部１０で呼出履歴表示されている状態で、３０分が経過することで、第１制御部１７が第１表示部１０を呼出履歴表示から給湯温度を表示する通常表示に戻すもので、これは浴室リモコン３でも同様であり、表示切替等の操作をすることなく、所定時間後には元の通常表示に戻り、便利であり使用勝手が良いものである。
【００３０】
又台所リモコン２の第１表示部１０で呼出履歴表示されている状態で、風呂保温運転が終了すれば、第１制御部１７が第１表示部１０を呼出履歴表示から給湯温度を表示する通常表示に戻すものであり、風呂保温運転の終了ではほとんどの場合入浴者はいなくなるので、無駄な呼出履歴表示をなくすことが出来、経済的で使用勝手が良いものである。
【００３１】
更に台所リモコン２の第１表示部１０で呼出履歴表示されている状態で、給湯装置１の運転が停止すれば、第１制御部１７が第１表示部１０を呼出履歴表示から給湯温度を表示する通常表示に戻すもので、これは浴室リモコン３でも同様であり、元々の給湯装置１の運転が停止すれば、呼出履歴表示の必要性がなくなるので、無駄な呼出履歴表示をなくすことが出来、経済的で使用勝手が良いものである。
【００３２】
尚、スピーカーから話だした方が優先となる双方向のハンズフリー方式では、図５に示すように、「台所からの通話がありました  ＰＭ１２：００」及び「浴室からの通話がありました  ＰＭ１２：００」と呼出履歴表示されるものである。
【符号の説明】
【００３３】
１  給湯装置
２  第１リモコン（台所リモコン）
３  第２リモコン（浴室リモコン）
９  第１記憶部
１０  第１表示部
１２  第１報知手段
１４  第１呼出スイッチ
１７  第１制御部
２０  第２記憶部
２１  第２表示部
２３  第２報知手段
２５  第２呼出スイッチ
２８  第２制御部
【図１】
2015154313.tif 000003
【図２】
2015154313.tif 000004
【図３】
2015154313.tif 000005
【図４】
2015154313.tif 000006
【図５】
2015154313.tif 000007